(57)【特許請求の範囲】
【請求項１】
筒状のクロージャスリーブと、このクロージャスリーブ内に長手方向に沿って収納された、光ケーブルの引張／圧縮に対する引張／圧縮強度を担う連結板と、この連結板に対向して配設され、上記クロージャスリーブを内側から支持し、かつ光ケーブルの引張／圧縮に対する引張／圧縮強度を担うサポート板を備え、
上記連結板は、上記クロージャスリーブの長手方向に延びる主板部と、この主板部の両端から、これに対して直角方向に延びる２つの端面板部とからなり、
上記端面板部の先端部には、係止鉤部が設けられ、
上記サポート板は、断面形状が傘状であって、その両端部が折り曲げられて係止爪部が設けられ、
前記係止鉤部は、端面板部の先端部の両側面から幅方向に切れ込んだ溝部と、この２つの溝部に挟まれた胴部と、胴部から両幅方向に拡がる係止端部とからなり、
前記係止爪部は、サポート板の両端部の端面から長手方向に切れ込んだ切込部と、この切込部の両側の突起部とからなり、
前記連結板の端面板部とサポート板とは、係止鉤部の溝部と係止爪部の突起部とを嵌め合わせ、係止爪部の切込部と係止鉤部の胴部を嵌め合わすことにより、着脱可能に、かつ連結板の端面板部とサポート板との長手方向のズレを防止するように連結されていることを特徴とする光クロージャ。
【請求項２】
筒状のクロージャスリーブと、このクロージャスリーブ内に長手方向に沿って収納された、光ケーブルの引張／圧縮に対する引張／圧縮強度を担う連結板と、この連結板に対向して配設され、上記クロージャスリーブを内側から支持し、かつ光ケーブルの引張／圧縮に対する引張／圧縮強度を担うサポート板を備え、
上記連結板は、上記クロージャスリーブの長手方向に延びる主板部と、この主板部の両端から、これに対して直角方向に延びる２つの端面板部とからなり、
上記連結板の端面板部の先端部に係止鉤部が設けられ、
上記サポート板の両端部に係止爪部が設けられ、
前記係止鉤部は、端面板部の先端部の両側面から幅方向に切れ込んだ溝部と、この２つの溝部に挟まれた胴部と、胴部から両幅方向に拡がる係止端部とからなり、
前記係止爪部は、サポート板の両端部の端面から長手方向に切れ込んだ切込部と、この切込部の両側の突起部とからなり、
前記連結板の端面板部とサポート板とは、係止鉤部の溝部と係止爪部の突起部とを嵌め合わせ、係止爪部の切込部と係止鉤部の胴部を嵌め合わすことにより、着脱可能に、かつ連結板の端面板部とサポート板との長手方向のズレを防止するように連結されていることを特徴とする光クロージャ。
【請求項３】
各端面板部には、前記光ケーブルのテンションメンバを把持固定するテンションメンバ把持部が固定されていることを特徴とする請求項１または請求項２記載の光クロージャ。
【請求項４】
連結板の主板部上に着脱可能に積層された光トレイを備えていることを特徴とする請求項１ないし３いずれか一項に記載の光クロージャ。
【発明の詳細な説明】
【０００１】
【発明の属する技術分野】
本発明は、光ファイバケーブル（以下、光ケーブルと記す）の接続部に用いられる光クロージャに関する。
【０００２】
【従来の技術】
光ケーブル等からなる光線路の接続部には光クロージャ等が設置され、その内側にて金属製支持部材上に設置した複数の光トレーや余長収納シートにより光ファイバ心線、光ファイバテープ心線等（以下、光ファイバと記す）の光接続部や光ファイバの余長が収納、整理されている。このように光ファイバの光接続部や余長を収納、整理することによって光ファイバの識別、再接続、分岐等の作業が容易となる。
【０００３】
図５は従来の光クロージャの一例を示す図である。
この光クロージャ２１は、筒状のクロージャスリーブ２２と、このクロージャスリーブ２２内に長手方向に沿って収納され、クロージャスリーブ２２の長手方向に延びる主板部２３ａ、およびこの主板部２３ａの両端から、これに対して直角方向に延びる２つの端面板部２３ｂからなる主連結板２３と、この主連結板２３の両側の端面板部２３ｂと連結した中央連結板３０と、主連結板２３に対向して配設され、上記クロージャスリーブ２２を内側から支持するサポート板２４と、主連結板２３の両側の端面板部２３ｂに固定されたテンションメンバ把持部２５と、このテンションメンバ把持部２５に支持棒２６で連結された光ケーブル把持部２７と、主連結板２３の主板部２３ａ上に複数枚設置された余長収納シート２８と、この余長収納シート２８を保持する帯状のバンド２９とを備えている。
【０００４】
上記クロージャスリーブ２２の両端部から引き込んだ光ケーブル３１は、上記光ケーブル把持部２７により把持、固定される。上記クロージャスリーブ２２内にて光ケーブル３１より引き出したテンションメンバ３２は、上記テンションメンバ把持部２５にて把持、固定される。また、上記クロージャスリーブ２２内にて光ケーブル３１より引き出され、互いに接続された光ファイバ３３は、その光接続部および余長を上記余長収納シート２８に収納、整理される。
【０００５】
また、図６に示すように、主連結板２３の端面板部２３ｂの先端に形成された凸字型部２３ｃと、サポート板２４の両端に形成された凹字型部２４ａとが着脱可能に重なることにより、上記主連結板２３の端面板部２３ｂとサポート板２４は連結されている。このように上記主連結板２３の端面板部２３ｂとサポート板２４を着脱可能な状態にすることにより、サポート板２４の取付け、取り外しが容易となり、光ファイバ３３の識別、再接続、分岐等の作業性もよくなる。
【０００６】
【発明が解決しようとする課題】
このような光クロージャ２１には、上方からの圧壊に対する圧壊強度と、光ケーブル３１の引張／圧縮に対する引張／圧縮強度が必要とされる。上方からの圧壊や、光ケーブルの引張／圧縮に対応する従来の方法としては、いくつか知られており、例えば、圧壊強度の高いクロージャスリーブを用いる方法や、圧壊強度の弱いクロージャスリーブを用いる場合には、クロージャスリーブの内側に金属の骨組みを形成する方法などが用いられてる。しかし、これら方法では、クロージャスリーブが大型化し、また重くなるという欠点がある。
【０００７】
別の方法としては、図５に示すように、２本もしくはそれ以上の連結板（図中、主連結板２３と中央連結板３０）により光ケーブル３１の引張／圧縮に対応し、サポート板２４により上方からの圧壊に対応する方法がある。この方法では、クロージャスリーブ２２が大型化し、重くなることはないが、複数の連結板を用いるため、光ファイバ余長の収納スペースが狭くなり、余長収納形態に制限を受け、余長収納の主流である光トレー積層タイプ（ブックタイプ）には対応できないという問題がある。
【０００８】
この問題を解決するためには、サポート板２４に連結板としての役割を兼ねさせ、連結板を主連結板２３の１本のみの構造にすることにより、余長収納スペースを確保する方法が考えられる。しかしながら、図６に示すように、サポート板２４は主連結板２３の端面板部２３ｂに着脱可能に重ねているだけであり、ボルト等で固定されていないため、光ケーブル３１の引張に対する引張強度を担うことはできない。このため、連結板を主連結板２３の１本のみにする構造では、光ケーブル３１の引張に対する引張強度は、不十分となる。
【０００９】
よって、本発明における課題は、光ファイバ余長の収納形態に制限を受けず、上方からの圧壊に対する圧壊強度と、光ケーブルの引張／圧縮に対する引張／圧縮強度を十分に備え、光ファイバの識別、再接続、分岐等の作業性のよい光クロージャを提供することにある。
【００１０】
【課題を解決するための手段】
かかる課題は、筒状のクロージャスリーブと、このクロージャスリーブ内に長手方向に沿って収納された、光ケーブルの引張／圧縮に対する引張／圧縮強度を担う連結板と、この連結板に対向して配設され、上記クロージャスリーブを内側から支持し、かつ光ケーブルの引張／圧縮に対する引張／圧縮強度を担うサポート板を備え、上記連結板は、上記クロージャスリーブの長手方向に延びる主板部と、この主板部の両端から、これに対して直角方向に延びる２つの端面板部とからなり、上記端面板部の先端部には、係止鉤部が設けられ、上記サポート板は、断面形状が傘状であって、その両端部が折り曲げられて係止爪部が設けられ、前記係止鉤部は、端面板部の先端部の両側面から幅方向に切れ込んだ溝部と、この２つの溝部に挟まれた胴部と、胴部から両幅方向に拡がる係止端部とからなり、 前記係止爪部は、サポート板の両端部の端面から長手方向に切れ込んだ切込部と、この切込部の両側の突起部とからなり、前記連結板の端面板部とサポート板とは、係止鉤部の溝部と係止爪部の突起部とを嵌め合わせ、係止爪部の切込部と係止鉤部の胴部を嵌め合わすことにより、着脱可能に、かつ連結板の端面板部とサポート板との長手方向のズレを防止するように連結されている光クロージャによって解決される。
また、かかる課題は、筒状のクロージャスリーブと、このクロージャスリーブ内に長手方向に沿って収納された、光ケーブルの引張／圧縮に対する引張／圧縮強度を担う連結板と、この連結板に対向して配設され、上記クロージャスリーブを内側から支持し、かつ光ケーブルの引張／圧縮に対する引張／圧縮強度を担うサポート板を備え、上記連結板は、上記クロージャスリーブの長手方向に延びる主板部と、この主板部の両端から、これに対して直角方向に延びる２つの端面板部とからなり、上記連結板の端面板部の先端部に係止鉤部が設けられ、上記サポート板の両端部に係止爪部が設けられ、前記係止鉤部は、端面板部の先端部の両側面から幅方向に切れ込んだ溝部と、この２つの溝部に挟まれた胴部と、胴部から両幅方向に拡がる係止端部とからなり、前記係止爪部は、サポート板の両端部の端面から長手方向に切れ込んだ切込部と、この切込部の両側の突起部とからなり、前記連結板の端面板部とサポート板とは、係止鉤部の溝部と係止爪部の突起部とを嵌め合わせ、係止爪部の切込部と係止鉤部の胴部を嵌め合わすことにより、着脱可能に、かつ連結板の端面板部とサポート板との長手方向のズレを防止するように連結されている光クロージャによって解決される。
ここで、各端面板部には、前記光ケーブルのテンションメンバを把持固定するテンションメンバ把持部が固定されていることが好ましい。
また、本発明の光クロージャは、連結板の主板部上に着脱可能に積層された光トレイを備えていることが好ましい。
【００１１】
【発明の実施の形態】
以下、図面を用いて本発明を詳しく説明する。
図１および図２は本発明の光クロージャの一例を示す図である。
この光クロージャ１は、筒状のクロージャスリーブ２と、このクロージャスリーブ２内に長手方向に沿って収納され、クロージャスリーブ２の長手方向に延びる主板部３ａ、およびこの主板部３ａの両端から、これに対して直角方向に延びる２つの端面板部３ｂからなる連結板３と、この連結板３に対向して配設され、上記クロージャスリーブ２を内側から支持し、両端が端面板部３ｂと連結するサポート板４と、連結板３の両側の端面板部３ｂに固定されたテンションメンバ把持部５と、このテンションメンバ把持部５に支持棒６で連結された光ケーブル把持部７と、連結板３の主板部３ａ上に着脱可能に積層された光トレイ８と、この光トレイ８を固定する帯状のバンド９と、クロージャスリーブ２を保持する架空用端面板１０と、この架空用端面板１０に連結し、架空ワイヤ１２に接続する吊り金具１１とから構成される。
【００１２】
上記クロージャスリーブ２は、分解、一体化可能に構成され、一体化時には内部を気密あるいは水密に封止するものである。また、クロージャスリーブ２は通常、プラスチック等の合成樹脂材料から形成される。
上記連結板３は、鋼材等の十分な剛性を有する素材から形成されたもので、上記テンションメンバ把持部５、光ケーブル把持部６を固定し、光ケーブルの引張／圧縮に対する引張／圧縮強度を担うものである。
上記サポート板４は、鋼材等から形成されたもので、図３に示すように、その断面形状を傘状とし、上方からの圧壊に対する圧壊強度を担うものである。
上記テンションメンバ把持部５は、鋼材等から形成されたもので、把持ボルト５ａをねじ込むことにより、テンションメンバ１４を把持、固定するものである。
上記光ケーブル把持部７は、鋼材等から形成されたもので、把持ボルト７ａをねじ込むことにより、光ケーブル１３を把持、固定するものである。
【００１３】
上記光トレイ８は、プラスチック等の合成樹脂材料から形成されたもので、その形状は薄板状であり、その側面部には光ファイバ１５を挿通する入口が形成されている。
上記バンド９は、プラスチック等の合成樹脂材料から形成され、ネジ９ａで主板部３ａとサポート板４に固定されている。
上記架空用端面板１０は、プラスチック等の合成樹脂材料から形成されたもので、クロージャスリーブ２の両端を封止するとともに、クロージャスリーブ２の断面形状を円形もしくは楕円形に保持するためのものである。また、架空用端面板１０には、光ケーブル１３を挿入する挿入口が複数形成されている。
【００１４】
また、上記端面板部３ｂの先端部には、係止鉤部３ｃが設けられ、上記サポート板４には、その両端部が折り曲げられて係止爪部４ａが設けられている。
上記係止鉤部３ｃは、例えば、図４に示すように、直角に折り曲げられた端面板部３ｂの先端部の両側面から幅方向に切れ込んだ溝部３ｄと、この２つの溝部３ｄに挟まれた胴部３ｅと、胴部３ｅから両幅方向に拡がる係止端部３ｆとが形成されたエ字状の形状となっている。また、上記係止爪部４ａは、直角に折り曲げられたサポート板４の両端部の端面から長手方向に切れ込んだ切込部４ｂと、この切込部４ｂの両側の突起部４ｃとが形成された凹字状の形状となっている。
【００１５】
上記端面板部３ｂとサポート板４は、係止鉤部３ｃの溝部３ｄと係止爪部４ａ突起部４ｃを嵌め合わせ、係止爪部４ａの切込部４ｂと係止鉤部３ｃの胴部３ｅを嵌め合わすことにより、着脱可能に連結できるようになっている。また、上記胴部３ｅと突起部４ｃが端面板部３ｂとサポート板４の幅方向のズレを係止し、係止端部３ｆと突起部４ｃが端面板部３ｂとサポート板４の長手方向のズレを係止するようになっている。
【００１６】
このような光クロージャによれば、連結板３の端面板部３ｂおよびサポート板４に上記形状の係止鉤部３ｃと係止爪部４ａを設け、これらを嵌め合わせているので、端面板部３ｂとサポート板４のズレを防止し、さらにサポート板４が端面板部３ｂにかかる光ケーブル１３の張力を受けるようになり、光ケーブルの引張／圧縮に対する引張／圧縮強度を担うようになる。また、これら係止鉤部３ｃと係止爪部４ａとが着脱可能に嵌め合わせられているので、サポート板４の取付け、取り外しが容易である。さらに、サポート板の断面形状が傘状なので、光トレイ８を幅広く保護し、圧壊強度も向上している。
【００１７】
上記係止鉤部３ｃと係止爪部４ａの形状は、図４に示す形状に限定されるものではなく、例えば、直角に折り曲げられた端面板部３ｂの先端部に幅方向の角孔を設けて係止鉤部とし、直角に折り曲げられたサポート板４の両端部を凸字状に加工して係止爪部としてもよい。
上記連結板３の端面板部３ｂとサポート板４との連結は、ボルト止め等によって行うことも考えられるが、サポート板４の取付け、取り外しが面倒となり、光ファイバ１４の識別、再接続、分岐等の作業性も悪くなる。また、これらの作業を架空状態で行う場合、ボルト等の落下などの危険性がある。
【００１８】
【発明の効果】
以上説明したように、本発明の光クロージャにあっては、連結板の端面板部の先端部に係止鉤部を設け、サポート板の両端部に係止爪部を設け、これら係止鉤部と係止爪部を嵌め合わすことにより、サポート板が上方からの圧壊に対する圧壊強度の補強と、光ケーブルの引張／圧縮に対する引張／圧縮強度の補強を兼ねる構造となるので、特殊な加工や部品を追加せずに、圧壊強度と引張／圧縮強度を十分に備えることができる。そして、補強を目的に余分な連結板を追加する必要がなく、光ファイバの余長収納スペースを十分に確保でき、余長収納形態に制限を受けることがないといった優れた効果を奏する。
また、これら係止鉤部と係止爪部とが着脱可能に嵌め合わせられているので、サポート板の取付け、取り外しが容易であり、光ファイバの識別、再接続、分岐等の作業性もよい。
さらに、サポート板の断面形状を傘状にすることにより、光トレイを幅広く保護することが可能であり、圧壊強度も向上する。
【図面の簡単な説明】
【図１】本発明の光クロージャの一例を示す側面図である。
【図２】本発明の光クロージャの連結板とサポート板の構造の一例を示す側面図である。
【図３】本発明の光クロージャのサポート板の一例を示す図であり、（ａ）はサポート板の側面図、（ｂ）はサポート板の端面図である。
【図４】本発明の光クロージャの連結板の端面板部とサポート板の接続部分の一例を示す斜視図である。
【図５】従来の光クロージャの一例を示す側面図である。
【図６】従来の光クロージャの連結板の端面板部とサポート板の接続部分の一例を示す斜視図である。
【符号の説明】
１・・・光クロージャ、２・・・クロージャスリーブ、３・・・連結板、３ａ・・・主板部、３ｂ・・・端面板部、３ｃ・・・係止鉤部、４・・・サポート板、４ａ・・・係止爪部
【図１】
0003597380.tif 000002
【図２】
0003597380.tif 000003
【図３】
0003597380.tif 000004
【図４】
0003597380.tif 000005
【図５】
0003597380.tif 000006
【図６】
0003597380.tif 000007